(57)【要約】【課題】  ２つの磁石を有する反発磁気回路を薄型で且つ容易に組み立てることができる「スピーカ」を提供する。【解決手段】  下側対向ヨーク１１に下側磁石２１が設けられ、下側対向ヨーク１１と一体の磁界誘導壁１２が、下側磁石２１の上面よりも上方に延びている。上側対向ヨーク１５には上側磁石と中間磁性体が保持されている。上側対向ヨーク１５と一体の磁界誘導壁１６は、中間磁性体の下端よりも下側まで延びている。磁界誘導壁１２が、磁界誘導壁１６の薄肉部１６ｂの外周に嵌着させられて、下側対向ヨーク１１と上側対向ヨーク１５とが組み合わせられる。磁石どうしが接近する前に磁界誘導壁１２と磁界誘導壁１６とが嵌合するため、磁石の吸引力によって、下側対向ヨーク１１と上側対向ヨーク１５が中心線Ｏ−Ｏと交叉する方向へずれることがなく、組み合わせられる。【選択図】図３
2011151644.tif 000002
【特許請求の範囲】
【請求項１】
振動体と、前記振動体に振動力を与えるコイルと、前記コイルに磁界を与える磁気回路とを有するスピーカにおいて、
前記磁気回路は、振動体の振動方向に対向する磁性材料製の一対の対向ヨークと、それぞれの対向ヨークの対向側に固定された磁石と、２つの前記磁石の間に挟まれた中間磁性体とを有し、それぞれの前記対向ヨークに、これに固定された前記磁石よりも前記振動方向に向けて突出する磁界誘導壁が一体に設けられ、
両対向ヨークの前記磁界誘導壁どうしが、前記振動方向と交叉する向きに互いに規制し合うように嵌合し、２つの前記磁石の間に前記中間磁性体が挟まれて両対向ヨークが組み合わされており、
少なくとも一方の対向ヨークの前記磁界誘導壁の内面と、前記中間磁性体の外周部との間に、前記コイルが位置する磁気ギャップが形成されていることを特徴とするスピーカ。
【請求項２】
少なくとも一方の対向ヨークに設けられた前記磁界誘導壁が、相手側の対向ヨークに当たることで、２つの対向ヨークの前記振動方向の対向距離が決められている請求項１記載のスピーカ。
【請求項３】
少なくとも一方の対向ヨークに設けられた前記磁界誘導壁に、前記振動方向に延びるスリットが設けられ、前記コイルを支持する支持体が、前記スリット内を通過して前記磁界誘導壁の外側に延びており、前記支持体と前記振動体とが、直接に連結され、または他の部材を介して連結されている請求項１または２記載のスピーカ。
【請求項４】
前記スリットは、一方の対向ヨークの前記磁界誘導壁と、他方の対向ヨークの前記磁界誘導壁との間に形成されている請求項３記載のスピーカ。
【請求項５】
前記スリットの前記振動方向の寸法は、２つの前記磁石および前記中間磁性体の厚さ寸法の合計と同じかまたはそれよりも長い請求項３または４記載のスピーカ。
【発明の詳細な説明】
【技術分野】
【０００１】
本発明は、磁気回路とコイルとで振動力を発生するスピーカに係り、特に前記磁気回路が、２つの磁石とその間に位置する中間磁性体を備えたスピーカに関する。
【背景技術】
【０００２】
車載用や家庭用の音響機器や映像機器に、薄型のスピーカが多く使用されている。薄型のスピーカは、薄型の磁気回路を搭載することになるが、薄型の磁気回路は、大きな磁気駆動力を発生するのが難しく、大きな振動体を動作させようとすると、音の歪みなどが発生して音響品質が低下しやすい。
【０００３】
以下の特許文献１と特許文献２に記載されたスピーカは、薄型でしかも大きな磁気駆動力を得るために、２個の磁石を用いたいわゆる反発磁気回路が用いられている。反発磁気回路は、２個の磁石が、同じ磁極どうしが向き合うように組み合わされ、２つの磁石の間に中間磁性体が挟まれており、振動体を駆動するボイスコイルが、前記中間磁性体の外周部に対向している。２つの磁石からの磁界が中間磁性体を経てボイスコイルを横切るようになり、ボイスコイルを横切る磁界の磁束密度が高められている。
【０００４】
特許文献１に記載されている反発磁気回路は、２つのリング状の磁石と、中心に穴を有する磁性体のプレートとが重ねられている。下側の磁石の中心穴とプレートの穴の内部に、磁性材料製のセンターポールが位置しており、ボイスコイルが、プレートの穴の内周面とセンターポールの外周面との間の磁気ギャップ内に位置している。
【０００５】
特許文献１に記載された反発磁気回路は、組み立て工程の途中で、磁石がセンターポールに引き付けられやすい。磁石の中心穴とセンターポールとが一旦密着してしまうと、引き剥がすのが困難になる。そのために、特殊な治具を使用して組み立てなくてはならない。
【０００６】
特許文献１に記載されたものは、センターポールが、下側の磁石の中心穴の内部に位置しているが、上側の磁石の中心穴の内部までは延びていない。下側の磁石から発せられる磁界は、プレートからセンターポールおよび底部のヨーク板を経て磁石に戻るのに対し、上側の磁石から発せられる磁界には、センターポールを経過する磁路が形成されていない。そのため、下側の磁石から発せられてボイスコイルを横断する磁界の磁束密度と、上側の磁石から発せられてボイスコイルを横断する磁界の磁束密度とが相違することになり、ボイスコイルの振動方向に対して、磁束密度の変化の対称性を維持できず、振動体を駆動するときのバランスが崩れる問題がある。
【０００７】
さらに、特許文献１に記載のものは、ボイスコイルが、磁石の中心穴内に位置し、ボイスコイルを有するコイルボビンが上側の磁石からさらに上方に延びている。そのために、コイルボビンに連結される振動板が、反発磁気回路の上側に位置する２段構造となり、スピーカの全体を薄型化するのに限界がある。
【０００８】
特許文献２に記載された反発磁気回路は、２つのリング状の磁石と、リング状のセンタープレートが設けられ、それぞれの磁石の中心穴とセンタープレートの中心穴にセンターポールが入り込むことで、２個の磁石が位置決めされている。
【０００９】
この反発磁気回路は、リング状の磁石を使用しているため、磁石の体積が小さくなり、磁石から発せられる磁界の強度を高めるのに限界がある。
【００１０】
特許文献３に記載された反発磁気回路は、底部を有する筒状の磁性材料製のヨークの内部に、２つの磁石と、前記両磁石の間に挟まれた磁性材料製のプレートとが収納されており、ヨークの開口部がヨーク片で塞がれている。
【００１１】
特許文献３の反発磁気回路は、磁石をヨークの内部に収納するときに、磁石がヨークの内面に引き付けられる。そのために、組み立て作業に特殊な治具が必要になる。さらに、ボイスコイルを有するボビンが、ヨークの上方へ延び出る構造であるため、スピーカを構成する振動板と磁気回路とが上下に２段に配置された構造となり、スピーカの薄型化に限界が生じる。
【先行技術文献】
【特許文献】
【００１２】
【特許文献１】特開昭６０−１６７９６号公報
【特許文献２】特開平９−１３５４９３号公報
【特許文献３】実願昭５７−１４３６７８号（実開昭５９−４８１９７号）のマイクロフィルム
【発明の概要】
【発明が解決しようとする課題】
【００１３】
本発明は、上記従来の課題を解決できるものであり、２つの磁石を使用した磁気回路を組み立てる際に、磁石とヨークとが密着するのを防いで、２つの対向ヨークを容易に組みあわせることができるスピーカを提供するものである。
【００１４】
また、本発明は、コイルを横断する磁界の磁束密度が、コイルの振動方向において対称に分布しやすくなって、振動体の駆動バランスを確保でき、さらに薄型化を実現しやすいスピーカを提供するものである。
【課題を解決するための手段】
【００１５】
本発明は、振動体と、前記振動体に振動力を与えるコイルと、前記コイルに磁界を与える磁気回路とを有するスピーカにおいて、
前記磁気回路は、振動体の振動方向に対向する磁性材料製の一対の対向ヨークと、それぞれの対向ヨークの対向側に固定された磁石と、２つの前記磁石の間に挟まれた中間磁性体とを有し、それぞれの前記対向ヨークに、これに固定された前記磁石よりも前記振動方向に向けて突出する磁界誘導壁が一体に設けられ、
両対向ヨークの前記磁界誘導壁どうしが、前記振動方向と交叉する向きに互いに規制し合うように嵌合し、２つの前記磁石の間に前記中間磁性体が挟まれて両対向ヨークが組み合わされており、
少なくとも一方の対向ヨークの前記磁界誘導壁の内面と、前記中間磁性体の外周部との間に、前記コイルが位置する磁気ギャップが形成されていることを特徴とするものである。
【００１６】
本発明のスピーカは、２つの対向ヨークを組み合わせるときに、磁石が相手側の対向ヨークの磁界誘導壁の中に入り込む前に、それぞれの対向ヨークの磁界誘導壁どうしが嵌合する。そのため、磁石と相手側の対向ヨークとが磁力で吸引されても、２つの対向ヨークを横方向へずれることなく組み立てることが可能である。
【００１７】
本発明は、少なくとも一方の対向ヨークに設けられた前記磁界誘導壁が、相手側の対向ヨークに当たることで、２つの対向ヨークの前記振動方向の対向距離が決められている。
【００１８】
反発磁気回路を構成する場合には、２つの磁石の同じ磁極が対向して組み合わされ、磁石どうしが反発しようとするが、磁界誘導壁を相手の対向ヨークに当接させて、２つの対向ヨークを固定することで、２つの対向ヨークの対向間隔を正確に決めることが可能である。
【００１９】
本発明は、少なくとも一方の対向ヨークに設けられた前記磁界誘導壁に、前記振動方向に延びるスリットが設けられ、前記コイルを支持する支持体が、前記スリット内を通過して前記磁界誘導壁の外側に延びており、前記支持体と前記振動体とが、直接に連結され、または他の部材を介して連結されている構造が好ましい。
【００２０】
例えば、前記スリットは、一方の対向ヨークの前記磁界誘導壁と、他方の対向ヨークの前記磁界誘導壁との間に形成されている。
【００２１】
上記構造のスピーカは、対向ヨークの磁界誘導壁の外周に振動体を配置することができるため、薄型化が可能である。また、２つの対向ヨークを対称形状とすることで、下側の磁石から発せられる磁界の磁路と、上側の磁石から発せられる磁界の磁路を対称にしやすい。そのため、コイルの振動方向に対し、コイルを横断する磁界の磁束密度の変化が上下に対称となりやすく、バランスの良い駆動が可能である。
【００２２】
また、本発明は、前記スリットの前記振動方向の寸法は、２つの前記磁石および前記中間磁性体の厚さ寸法の合計と同じかまたはそれよりも長いことが好ましい。
【００２３】
上記構成では、２つの対向ヨーク内で、コイルの振幅を広く確保でき、薄型で十分な出力のスピーカを得ることが可能である。
【発明の効果】
【００２４】
本発明のスピーカは、２つの対向ヨークを組み合わせることで、２つの磁石を備えた磁気回路を容易に組み立てることが可能である。
【００２５】
また、２つの対向ヨークをほぼ対称構造とすることで、コイルの振動方向における磁束密度の変化を対称にしやすくなり、振動体の駆動バランスを良好にできるようになる。
【図面の簡単な説明】
【００２６】
【図１】本発明の実施の形態のスピーカを半分に切断して示す部分斜視図、
【図２】前記スピーカの断面を正面から示す縦断面図、
【図３】一対の対向ヨークと磁石を示す分解斜視図、
【図４】一対の対向ヨークが組み合わされた状態を示す縦断面図、
【図５】上側の対向ヨークを上下逆の向きで示す斜視図、
【図６】ボイスコイルとこれを保持する治具を示す斜視図、
【図７】（Ａ）は、上下逆向きの上側の対向ヨークにボイスコイルと治具とが装着された状態を示す斜視図、（Ｂ）は、下側の対向ヨークの斜視図、
【図８】対向ヨークの構造の変形例を示す縦断面図、
【図９】対向ヨークの構造の変形例を示す縦断面図、
【発明を実施するための形態】
【００２７】
図１と図２に示すスピーカ１は、図において上下方向に延びる中心線Ｏを中心とする円形である。中心線Ｏの延びる方向が、振動方向である。
【００２８】
スピーカ１の中心部に反発磁気回路１０が設けられている。反発磁気回路１０は、第１の対向ヨークである下側対向ヨーク１１と第２の対向ヨークである上側対向ヨークが上下に組み合わされて、全体が円柱形状である。反発磁気回路１０の内部には、下側磁石２１と上側磁石２２と、両磁石２１，２２の間に挟まれた中間磁性体２０が収納されている。下側磁石２１と上側磁石２２および中間磁性体２０は、いずれも円板形状である。下側磁石２１と上側磁石２２は、同じ磁極どうしが対向し、下側磁石２１と上側磁石２２が、上下に反発し合いながら組み合わされている。
【００２９】
反発磁気回路１０の内部には、中間磁性体２０の外周に対向する円筒状に巻かれたボイスコイル２３が設けられている。反発磁気回路１０の周囲の外側には円筒形の支持リング２４が設けられている。反発磁気回路１０には振動方向に延びるスリット１９が形成されており、ボイスコイル２３と支持リング２４とを連結するリブ２５（支持体）が前記スリット１９内で振動方向へ移動自在に設けられている。
【００３０】
反発磁気回路１０の下側対向ヨーク１１は、円板形状の下部フレーム３１に固定されている。下部フレーム３１の上にはリング形状の中間フレーム３３が設けられ、下部フレーム３１と中間フレーム３３が連結部材３２によって連結されている。中間フレーム３３の上にはリング形状の上部フレーム３５が設けられ、中間フレーム３３と上部フレーム３５とが連結部材３４で連結されている。下部フレーム３１と中間フレーム３３および上部フレーム３５は、非磁性金属または合成樹脂材料で形成され、または鉄などの磁性金属材料で形成されている。
【００３１】
上部フレーム３５の内周部には、振動体３６が連結されている。振動体３６は厚紙や合成樹脂シートあるいは紙材と合成樹脂シートとのラミネート材などで形成された振動板である。振動体３６の外周部は、弾性変形可能に曲げられたダンパー部３６ａを介して、上部フレーム３５に固定されている。また、振動体３６の内周部３６ｂはテーパ形状に形成されて、その内周端が、前記支持リング２４に連結されている。
【００３２】
中間フレーム３３の内周部にはダンパー部材３７が設けられている。ダンパー部材３７は、厚紙や合成樹脂シートあるいは紙材と合成樹脂シートとのラミネート材などで形成されており、リング形状の凹凸部が同心円状に繰り返すコルゲート構造である。ダンパー部材３７の外周部３７ａは、中間フレーム３３に固定され、ダンパー部材３７の内周部３７ｂは支持リング２４に連結されている。支持リング２４と前記振動体３６は、ダンパー部材３７の弾性変形によって、中心線Ｏ−Ｏが延びる方向に向けて振動自在である。
【００３３】
図３ないし図７に、反発磁気回路１０を構成する下側対向ヨーク１１と上側対向ヨーク１５の構造がさらに詳しく示されている。
【００３４】
下側対向ヨーク１１は、磁性金属材料で形成されている。下側対向ヨーク１１には円板形状の底部１１ａが設けられている。底部１１ａの上に向く対向部１１ｂの中心には円板形状の凸部１１ｃが、底部１１ａと一体に形成されている。下側磁石２１は、前記凸部１１ｃの上面に固定されている。なお、前記凸部１１ｃが形成されておらず、下側磁石２１が底部１１ａの対向部１１ｂに直接に固定されていてもよい。
【００３５】
図３などに示すように、下側対向ヨーク１１の底部１１ａの外周部には、対向部１１ｂから上向きに突出する磁界誘導壁１２が設けられている。磁界誘導壁１２は３箇所において、前記底部１１ａと一体に形成されている。３箇所の磁界誘導壁１２は、中心線Ｏを囲む１２０度の角度間隔で形成されており、それぞれの磁界誘導壁１２は、下側磁石２１を囲む円筒部の一部を構成している。図３に示すように、底部１１ａの対向部１１ｂから磁界誘導壁１２の上端までの高さ寸法Ｈ１は、前記対向部１１ｂから下側磁石２１の上面までの高さ寸法Ｈ２よりも大きい。
【００３６】
図３と図５に示す上側対向ヨーク１５は、下側対向ヨーク１１と同じ磁性金属材料で形成されている。上側対向ヨーク１５には、円板形状の天井部１５ａが形成されている。天井部１５ａは、下側対向ヨーク１１の底部１１ａと同じ直径で同じ厚さ寸法に形成されている。
【００３７】
図４と図５に示すように、上側対向ヨーク１５の天井部１５ａの下面である対向部１５ｂに上側磁石２２が固定され、その下に中間磁性体２０が重ねられて固定されている。上側磁石２２は、下側磁石２１と同じ硬磁性材料で形成されており、下側磁石２１と上側磁石２２は、直径および厚さ寸法が同じで、体積が同じである。中間磁性体２０は、下側対向ヨーク１１および上側対向ヨーク１５と同じ磁性材料で形成されている。
【００３８】
上側対向ヨーク１５の天井部１５ａの外周部には、対向部１５ｂから下向きに延びる磁界誘導壁１６が設けられている。磁界誘導壁１６は、中心線Ｏを囲むように１２０度の角度配置で３箇所に設けられ、それぞれ天井部１５ａと一体に形成されている。それぞれの磁界誘導壁１６は、厚肉部１６ａと薄肉部１６ｂとを有している。薄肉部１６ｂは、厚肉部１６ａの外周面から内側へ向けて所定厚さの範囲を削除した形状である。隣り合う磁界誘導壁１６の厚肉部１６ａと薄肉部１６ｂとの間に、上下に延びる前記スリット１９が形成されている。
【００３９】
図４に示すように、天井部１５ａの対向部１５ｂから、磁界誘導壁１６の下端までの高さ寸法Ｈ３は、前記対向部１５ｂから上側磁石２２の下端までの高さ寸法Ｈ４よりも大きい。好ましくは、前記高さ寸法Ｈ３は、対向部１５ｂから中間磁性体２０の下端までの高さ寸法Ｈ５よりも大きい。上側対向ヨーク１５の磁界誘導壁１６の前記高さ寸法Ｈ３は、下側対向ヨーク１１の磁界誘導壁１２の前記高さ寸法Ｈ１と同じである。
【００４０】
下側対向ヨーク１１と上側対向ヨーク１５を組み立てるときは、下側対向ヨーク１１の磁界誘導壁１２が、上側対向ヨーク１５の磁界誘導壁１６の薄肉部１６ｂの外周面に嵌着される。下側対向ヨーク１１の磁界誘導壁１２と、上側対向ヨーク１５の薄肉部１６ｂとが重ねられたときの、半径方向の厚さ寸法の合計は、磁界誘導壁１６の厚肉部１６ａの半径方向の厚さ寸法と同じである。下側対向ヨーク１１と上側対向ヨーク１５とが組み合わされると、磁石２１，２２および中間磁性体２０の周囲を囲む同じ厚さの磁界誘導壁が、３箇所のスリット１９を除いて全周に形成される。
【００４１】
図３に示すように、下側対向ヨーク１１の磁界誘導壁１２は下側磁石２１の上端よりも上方に突出しており、図４に示すように、上側対向ヨーク１５の磁界誘導壁１６は、上側磁石２２の下端よりも下側に突出し且つ中間磁性体２０の下端よりも下側へ突出している。したがって、下側磁石２１が、上側対向ヨーク１５の磁界誘導壁１６の内側に入る前に、下側対向ヨーク１１の磁界誘導壁１２が、上側対向ヨーク１５の磁界誘導壁１６の薄肉部１６ｂの外側に嵌合する。よって、その後に下側対向ヨーク１１と上側対向ヨーク１５を接近させるときに、下側磁石２１と上側の磁界誘導壁１６とに中心線Ｏ−Ｏと直交する方向へ互いに引き付け合う力が作用しても、下側対向ヨーク１１と上側対向ヨーク１５が中心線Ｏ−Ｏと直交する方向にずれることがない。よって、下側磁石２１は、上側対向ヨーク１５の磁界誘導壁１６の内周面に吸着されることなく、磁界誘導壁１６の内面と距離を空けて収納される。
【００４２】
同様に、上側対向ヨーク１５の磁界誘導壁１６が、上側磁石２２の下端よりも下側へ突出し、さらに中間磁性体２０の下端よりも下側に突出している。したがって、下側対向ヨーク１１と上側対向ヨーク１５とが組み合わされるときに、中間磁性体２０が、下側対向ヨーク１５の磁界誘導壁１２の内側に入る前に、ならびに上側磁石２２が磁界誘導壁１２の内側に入り込む前に、磁界誘導壁１２と磁界誘導壁１６とが嵌合する。この嵌合により、中間磁性体２０または上側磁石２２と、下側の磁界誘導壁１２とが互いに引き合っても、下側対向ヨーク１１と上側対向ヨーク１５とが、中心線Ｏ−Ｏと直交する向きにずれるのを防止できる。
【００４３】
また、下側対向ヨーク１１の磁界誘導壁１２の上端が、上側対向ヨーク１５の対向部１５ｂに突き当てられ、同時に、上側対向ヨーク１５の磁界誘導壁１６の下端が下側対向ヨーク１１の対向部１１ｂに突き当てられて、下側磁石２１が中間磁性体２０に密着するように組み立てられる。下側磁石２１と上側磁石２２は同じ磁極どうしが対向するために、上下に互いに反発し合うが、下側対向ヨーク１１と上側対向ヨーク１５は、それぞれの磁界誘導壁１２，１６が相手側に突き当てられることで、対向距離を決めることができる。そして、下側対向ヨーク１１と上側対向ヨーク１５とをねじ止めなどで互いに固定することで、反発磁気回路１０が組み立てられる。
【００４４】
図４に示すように、下側対向ヨーク１１と上側対向ヨーク１５とが組み合わされたときに、スリット１９は、上側対向ヨーク１５の磁界誘導壁１６の厚肉部１６ａと薄肉部１６ｂとの対向部で、且つ下側対向ヨーク１１の磁界誘導壁１２との対向部に形成されている。図４に示すように、スリット１９は、下側対向ヨーク１１の対向部１１ｂから上側対向ヨーク１５の対向部１５ｂまでの長さを有している。すなわち、スリット１９の上下方向の寸法Ｈ６は、２つの磁石２１，２２と中間磁性体２０の厚さ寸法の合計と等しいかまたはそれ以上の長さに形成されている。
【００４５】
図４に示すように、ボイスコイル２３は、２つの対向ヨーク１１，１５の磁界誘導壁と、中間磁性体２０の外周面とのギャップ内に設けられている。ボイスコイル２３を支持するリブ２５は、上下の寸法がボイスコイル２３の上下の寸法と同じかそれよりも短くなっている。リブ２５が移動するスリット１９が上下に十分に長く形成されているため、反発磁気回路１０の内部において、ボイスコイル２３の上下の移動距離を十分に長く確保することができる。
【００４６】
次に、反発磁気回路１０およびスピーカ１の組み立て工程の一例を説明する。
図６（Ａ）には、ボイスコイル２３とその外周に設けられた支持リング２４、およびボイスコイル２３と支持リング２４とを連結するリブ２５が示されている。ボイスコイル２３は薄いコアに巻きつけられている。支持リング２４とリブ２５は、合成樹脂シートや紙材などの非磁性で且つ非導電性の材料で形成されている。リブ２５は、１２０の間隔で放射状に延び、ボイスコイル２３と支持リング２４の双方に接着剤で固定されている。
【００４７】
図６には治具４１が示されている。この治具４１は、厚紙や合成樹脂シートなどの板材を丸めたものである。図６（Ｂ）に示すように、丸めた治具４１をボイスコイル２３の内側に挿入し、治具４１を構成する板材が広がる力を利用してボイスコイル２３を保持する。
【００４８】
図７（Ａ）では、上側対向ヨーク１５が上下逆向きに示されている。前記治具４１を、上側対向ヨーク１５の磁界誘導壁１６の内面と、上側磁石２２および中間磁性体２０との間に突き当たるまで挿入する。これにより、治具４１で保持されているボイスコイル２３を、図４に示すように、中間磁性体２０の外周のギャップ内に位置決めする。また、それぞれのリブ２５は、スリット１９内に挿入され、支持リング２４が磁界誘導壁１６の外側で位置決めされる。
【００４９】
図７（Ａ）に示す状態で、図１と図２に示す振動体３６の内周部３６ｂを支持リング２４の外周面に接着固定し、且つダンパー部材３７の内周部３７ｂを支持リング２４の外周面に接着固定する。その後、治具４１を抜き取り、下側対向ヨーク１１を上側対向ヨーク１５に組み込み、下側対向ヨーク１１を下部フレーム３１に固定する。
【００５０】
なお、前記磁界誘導壁１２，１６は、３箇所に限られず、２箇所に形成されていてもよいし、４箇所以上に形成されていてもよい。
【００５１】
図８と図９は反発磁気回路の変形例を示している。
図８に示す反発磁気回路１１０は、上側対向ヨーク１５が、前記実施の形態の反発磁気回路１０に使用されているものと同じである。ただし、下側対向ヨーク１１１は、磁界誘導壁１１２の対向部１１ｂからの高さ寸法Ｈ１１が、上側対向ヨーク１５の磁界誘導壁１６の高さ寸法Ｈ３よりも短い。下側対向ヨーク１１１と上側対向ヨーク１５との対向距離は、上側対向ヨーク１５の磁界誘導壁１６の長さＨ３で決められている。
【００５２】
ただし、下側対向ヨーク１１１の磁界誘導壁１１２の高さ寸法Ｈ１１が、下側磁石２１の高さ寸法Ｈ２よりも大きくなっている。したがって、下側対向ヨーク１１１と上側対向ヨーク１５とを組み合わせるときに、下側磁石２１が上側対向ヨーク１５の磁界誘導壁１６の内側に入る前に、磁界誘導壁１１２と磁界誘導壁の薄肉部１６ｂとが嵌合する。よって、下側磁石２１と磁界誘導壁１６とが左右方向に引き合っても、下側対向ヨーク１１１と上側対向ヨーク１５とが、中心線Ｏ−Ｏと直交する向きにずれることなく組み立てることができる。
【００５３】
図９に示す反発磁気回路２１０は、下側対向ヨーク２１１に設けられた磁界誘導壁２１２と、上側対向ヨーク１５に設けられた磁界誘導壁２１６とが、底部１１ａと天井部１５ａとの中間で嵌合している。
【００５４】
この場合も、下側対向ヨーク２１１の磁界誘導壁２１２の高さＨ２１が、下側磁石２１の上端までの高さＨ２よりも大きく、上側対向ヨーク２１５の磁界誘導壁２１６の高さＨ２３が、上側磁石２２の高さＨ４および中間磁性体２０の下端までの高さＨ５以上となっている。したがって、下側対向ヨーク２１１と上側対向ヨーク２１５とを組み合わせるときに、下側磁石２１や上側磁石２２の磁力が作用しても、下側対向ヨーク２１１と上側対向ヨーク２１５とが、中心線Ｏ−Ｏと交叉する方向へ規制されながら組み立てられるようになる。
【００５５】
前記実施の形態は、反発磁気回路１０，１１０，２１０の磁界誘導壁にスリット１９が形成され、ボイスコイル２３を支持するリブ２５が、スリット１９内を通過しているため、振動体３６を、反発磁気回路１０，１１０，２１０の外周に配置することで、スピーカ１全体を薄型化しやすい。
【００５６】
ただし、本発明では、ボイスコイル２３から上方に延長するボビンの一部が、上側対向ヨーク１５の天井部１５ａを貫通する複数のスリットを通過して上方に延びて、反発磁気回路の上方に振動体が位置するスピーカであってもよい。
【符号の説明】
【００５７】
１  スピーカ
１０  反発磁気回路
１１  下側対向ヨーク
１１ａ  底部
１１ｂ  対向部
１２  磁界誘導壁
１５  上側対向ヨーク
１６  磁界誘導壁
１６ａ  厚肉部
１６ｂ  薄肉部
１９  スリット
２０  中間磁性体
２１  下側磁石
２２  上側磁石
２３  ボイスコイル
２４  支持リング
２５  リブ
３６  振動体
３７  ダンパー部材
【図１】
2011151644.tif 000003
【図２】
2011151644.tif 000004
【図３】
2011151644.tif 000005
【図４】
2011151644.tif 000006
【図５】
2011151644.tif 000007
【図６】
2011151644.tif 000008
【図７】
2011151644.tif 000009
【図８】
2011151644.tif 000010
【図９】
2011151644.tif 000011